(57)【要約】      （修正有）【課題】デジタルとアナログのテレビジョン信号を同時に受信できる方法を提供する。【解決手段】サーバサイド内にアプリケーションソフト、ダイレクトショウ（Ｄｉｒｅｃｔ  Ｓｈｏｗ）（マイクロソフト社）、ハードウエアドライバ、およびチューナを具え、アプリケーションソフトが伝送したデジタルテレビジョン信号とアナログテレビジョン信号を、同時にそれぞれダイレクトショウを通してハードウエアドライブに伝送、および直接ハードウエアドライブに伝送することができ、チューナに設けたアナログテレビジョンチューナおよびデジタルテレビジョンチューナがデジタルとアナログのテレビジョン信号を同時に受信できるようにし、使用者がこれを同時にまたは別々に保存および放映できるようにして、使用者の視聴および保存するテレビジョン信号の種類の選択肢を増加させ、使用者が同時に異なる種類のテレビジョン信号を処理できるようにする。【選択図】図１
2007019972.tif 000002
【特許請求の範囲】
【請求項１】
デジタルとアナログのテレビジョン信号を同時に受信できる方法であって、予め設けたサーバサイド内にアプリケーションソフト（Ａｐｐｌｉｃａｔｉｏｎ  Ｓｏｆｔｗａｒｅ）、ダイレクトショウ（Ｄｉｒｅｃｔ  Ｓｈｏｗ）（マイクロソフト社）、ハードウエアドライバ（Ｄｒｉｖｅｒ）、およびチューナを設置して具え、
該アプリケーションソフト（Ａｐｐｌｉｃａｔｉｏｎ  Ｓｏｆｔｗａｒｅ）はデジタルとアナログのテレビジョン信号を同時に受信することができ、
該ダイレクトショウはアプリケーションソフトからアナログテレビジョン信号を受信できるＣＯＭコンポーネントを具え、
該ハードウエアドライバ（Ｄｒｉｖｅｒ）内にＣＯＭコンポーネントから伝送するアナログテレビジョン信号を受信できるスタンダード・オープン・インタフェイスおよびアプリケーションソフト（Ａｐｐｌｉｃａｔｉｏｎ  Ｓｏｆｔｗａｒｅ）が伝送するデジタルテレビジョン信号を受信できるカスタム・インタフェイスを具えて成ることを特徴とするデジタルとアナログのテレビジョン信号を同時に受信できる方法。
【請求項２】
該サーバサイドは更にチューナを具え、且つチューナはハードウエアドライバ（Ｄｒｉｖｅｒ）から伝送するアナログテレビジョン信号とデジタルテレビジョン信号をそれぞれ受信できるアナログテレビジョンチューナ(Ａｎａｌｏｇ  ＴＶ  ｔｕｎｅｒ)およびデジタルテレビジョンチューナ(Ｄｉｇｉｔａｌ  ＴＶ  ｔｕｎｅｒ)を具えて成ることを特徴とする請求項1記載のデジタルとアナログのテレビジョン信号を同時に受信できる方法。
【請求項３】
該サーバサイドは更にキャプチャ装置を具え、且つキャプチャ装置はチューナが受信したアナログテレビジョン信号とデジタルテレビジョン信号をそれぞれキャプチャできるアナログビデオキャプチャ装置（Ａｎａｌｏｇ  Ｖｉｄｅｏ  Ｃａｐｔｕｒｅ）およびデジタルビデオキャプチャ（Ｄｉｇｉｔａｌ  Ｖｉｄｅｏ  Ｃａｐｔｕｒｅ）を具えてなることを特徴とする請求項1記載のデジタルとアナログのテレビジョン信号を同時に受信できる方法。
【請求項４】
該サーバサイドはノートパソコンとすることができるようにして成ることを特徴とする請求項１記載のデジタルとアナログのテレビジョン信号を同時に受信できる方法。
【請求項５】
該サーバサイドはデスクトップパソコンとすることができるようにして成ることを特徴とする請求項１記載のデジタルとアナログのテレビジョン信号を同時に受信できる方法。
【請求項６】
デジタルとアナログのテレビジョン信号を同時に受信できる方法であって、予め設けたサーバサイド内にアプリケーションソフト（Ａｐｐｌｉｃａｔｉｏｎ  Ｓｏｆｔｗａｒｅ）、ダイレクトショウ（Ｄｉｒｅｃｔ  Ｓｈｏｗ）（マイクロソフト社）、ハードウエアドライバ（Ｄｒｉｖｅｒ）およびチューナを具え、
該アプリケーションソフト（Ａｐｐｌｉｃａｔｉｏｎ  Ｓｏｆｔｗａｒｅ）はデジタルとアナログのテレビジョン信号を同時に受信することができ、
該ダイレクトショウ（Ｄｉｒｅｃｔ  Ｓｈｏｗ）（マイクロソフト社）はアプリケーションソフト（Ａｐｐｌｉｃａｔｉｏｎ  Ｓｏｆｔｗａｒｅ）からデジタルテレビジョン信号を受信できるＣＯＭコンポーネントを具え、
該ハードウエアドライバ（Ｄｒｉｖｅｒ）内にＣＯＭコンポーネントから伝送するデジタルテレビジョン信号を受信できるスタンダード・オープン・インタフェイス及びアプリケーションソフト（Ａｐｐｌｉｃａｔｉｏｎ  Ｓｏｆｔｗａｒｅ）が伝送するアナログテレビジョン信号を受信できるカスタム・インタフェイスを具えて成ることを特徴とするデジタルとアナログのテレビジョン信号を同時に受信できる方法。
【請求項７】
該サーバサイドは更にチューナを具え、且つチューナはハードウエアドライバ（Ｄｒｉｖｅｒ）から伝送するアナログテレビジョン信号とデジタルテレビジョン信号をそれぞれ受信できるアナログテレビジョンチューナ（Ａｎａｌｏｇ  ＴＶ  ｔｕｎｅｒ）およびデジタルテレビジョンチューナ（Ｄｉｇｉｔａｌ  ＴＶ  ｔｕｎｅｒ）を具えて成ることを特徴とする請求項６記載のデジタルとアナログのテレビジョン信号を同時に受信できる方法。
【請求項８】
該サーバサイドは更にキャプチャ装置を具え、且つキャプチャ装置はチューナが受信したアナログテレビジョン信号とデジタルテレビジョン信号をそれぞれキャプチャできるアナログビデオキャプチャ（Ａｎａｌｏｇ  Ｖｉｄｅｏ  Ｃａｐｔｕｒｅ）およびデジタルビデオキャプチャ（Ｄｉｇｉｔａｌ  Ｖｉｄｅｏ  Ｃａｐｔｕｒｅ）を具えて成ることを特徴とする請求項６記載のデジタルとアナログのテレビジョン信号を同時に受信できる方法。
【請求項９】
該サーバサイドはノートパソコンとすることができるようにして成ることを特徴とする請求項６記載のデジタルとアナログのテレビジョン信号を同時に受信できる方法。
【請求項１０】
該サーバサイドはデスクトップパソコンとすることができるようにして成ることを特徴とする請求項６記載のデジタルとアナログのテレビジョン信号を同時に受信できる方法。
【発明の詳細な説明】
【技術分野】
【０００１】
本発明はデジタルとアナログのテレビジョン信号を同時に受信できる方法に関し、特にデジタルテレビジョン信号とアナログテレビジョン信号を同時に受信でき、同時にまたは別々にこれを放映または保存できる方法に関する。
【背景技術】
【０００２】
デジタル技術の向上と集積回路の高度利用は、デジタル方式による信号処理が普遍的な方式となっている。マルチメディア産業の発展に伴い、電子技術の進展とパーソナルコンピュータの普及は情報化社会へと邁進している。デジタルテレビの成長は急速で、関連業者が構築するデジタル送信所も相次いで竣工して、デジタル信号のカバーエリアはますます大きくなり使用人口も増加しており、関連産業にビジネスチャンスをもたらしている。デジタルテレビは高画像音声品質のほか、従来のテレビジョン信号と異なり、多元的な応用性を具え、視聴者はより多くの付加機能を享受できる。
【０００３】
しかし、現在デジタルおよびアナログテレビは共存段階にあり、また提供する娯楽効果が大きく異なり、使用者は映像情報装置（ＴＶカード、ボックス）を通じてコンピュータ上でアナログまたはデジタルのテレビジョン信号を受信するとき、そのうち放映するテレビジョン信号を一種しか選択できず、使用者の選択範囲が減少してしまう。その主な原因は、現在信号の伝達はほとんどがマイクロソフト社が定めるダイレクトショウ（Ｄｉｒｅｃｔ  Ｓｈｏｗ）をインタフェイスとしているが、ダイレクトショウは一つのチャネルしかテレビジョン信号伝送に提供できないため、チャネルがデジタルテレビジョン信号伝送をしているとき、アナログテレビジョン信号は伝送できず、逆にチャネルをアナログテレビジョン信号伝送に使用すればデジタルテレビジョン信号は伝送できない。そのため使用者は一種のテレビジョン信号についてだけ保存または放映でき、同時にデジタルとアナログのテレビジョン信号を放映または保存することはできず、使用者の選択肢を減少させてしまう。
【発明の開示】
【発明が解決しようとする課題】
【０００４】
公知技術の問題と欠点を解決し、デジタルとアナログのテレビジョン信号を同時に受信できる方法を提供することを課題とする。
【課題を解決するための手段】
【０００５】
ハードウエアドライバ（Ｄｒｉｖｅｒ）内にスタンダード・オープン・インタフェイスとカスタム・インタフェイスを設置して、デジタルテレビジョン信号とアナログテレビジョン信号をそれぞれ受信し、これをチューナに伝送し、チューナがデジタルテレビジョン信号とアナログテレビジョン信号とを同時に受信できるようにし、使用者がこれを同時にまたは別々に保存及び放映できるようにする。
【発明の効果】
【０００６】
本発明のデジタルとアナログのテレビジョン信号を同時に受信できる方法によって、公知技術の問題を解決した技術的キーポイントは、ハードウエアドライバ（Ｄｒｉｖｅｒ）３内に設けたカスタム・インタフェイス３２を利用して、アプリケーションソフト（Ａｐｐｌｉｃａｔｉｏｎ  Ｓｏｆｔｗａｒｅ）１が受信したデジタルテレビジョン信号とアナログテレビジョン信号を、同時にそれぞれダイレクトショウ（Ｄｉｒｅｃｔ  Ｓｈｏｗ）（マイクロソフト社）１２を通してハードウエアドライバ（Ｄｒｉｖｅｒ）３のスタンダード・オープン・インタフェイス３１に伝送できおよび直接ハードウエアドライバ（Ｄｒｉｖｅｒ）３のカスタム・インタフェイス３１に伝送できることによって、アナログテレビジョンチューナ（Ａｎａｌｏｇ  ＴＶ  ｔｕｎｅｒ）４１およびデジタルテレビジョンチューナ（Ｄｉｇｉｔａｌ  ＴＶ  ｔｕｎｅｒ）４２がデジタルとアナログのテレビジョン信号を同時に受信できるようになり、使用者はこれを同時にまたは別々に保存および放映することができる。
【発明を実施するための最良の形態】
【０００７】
図１に示すように、本発明のデジタルとアナログのテレビジョン信号を同時に受信できる方法は、サーバサイド内にアプリケーションソフト（Ａｐｐｌｉｃａｔｉｏｎ  Ｓｏｆｔｗａｒｅ）１、ダイレクトショウ（Ｄｉｒｅｃｔ  Ｓｈｏｗ）（マイクロソフト社）２、ハードウエアドライバ（Ｄｒｉｖｅｒ）３およびチューナ４を具え、この中でアプリケーションソフト（Ａｐｐｌｉｃａｔｉｏｎ  Ｓｏｆｔｗａｒｅ）１はデジタルおよびアナログのテレビジョン信号を同時に受信することができる。ダイレクトショウ（Ｄｉｒｅｃｔ  Ｓｈｏｗ）２はマイクロソフト社（Ｍｉｃｒｏｓｏｆｔ）が定めるもので、ダイレクトショウ２はアプリケーションソフト（Ａｐｐｌｉｃａｔｉｏｎ  Ｓｏｆｔｗａｒｅ）１とハードウエアドライバ（Ｄｒｉｖｅｒ）３の間のスタンダードソフト構造であり、ダイレクトショウ（Ｄｉｒｅｃｔ  Ｓｈｏｗ）２は数個のＣＯＭコンポーネント２１で構成し、そのうちの一個のＣＯＭコンポーネントはテレビジョン信号専用である。
【０００８】
ハードウエアドライバ（Ｄｒｉｖｅｒ）３内に複数個のスタンダード・オープン・インタフェイス３１および一個のカスタム・インタフェイス３２を具える。
【０００９】
チューナ４はアナログテレビジョンチューナ（Ａｎａｌｏｇ  ＴＶ  ｔｕｎｅｒ）４１およびデジタルテレビジョンチューナ（Ｄｉｇｉｔａｌ  ＴＶ  ｔｕｎｅｒ）４２を具え、アナログテレビジョンチューナ（Ａｎａｌｏｇ  ＴＶ  ｔｕｎｅｒ）４１およびデジタルテレビジョンチューナ（Ｄｉｇｉｔａｌ  ＴＶ  ｔｕｎｅｒ）４２はハードウエアドライバ（Ｄｒｉｖｅｒ）３が伝送するデジタルまたはアナログのテレビジョン信号を受信できる。
【００１０】
本発明の使用時には、アプリケーションソフト（Ａｐｐｌｉｃａｔｉｏｎ  Ｓｏｆｔｗａｒｅ）１が受信したデジタルテレビジョン信号とアナログテレビジョン信号のうちの一種は、ダイレクトショウ（Ｄｉｒｅｃｔ  Ｓｈｏｗ）（マイクロソフト社）の中のテレビジョン信号専用のＣＯＭコンポーネント２１を経てハードウエアドライバ（Ｄｒｉｖｅｒ）３のスタンダード・オープン・インタフェイス３１に伝送された後、ハードウエアドライバ（Ｄｒｉｖｅｒ）３からそのテレビジョン信号に対応したアナログテレビジョンチューナ（Ａｎａｌｏｇ  ＴＶ  ｔｕｎｅｒ）４１またはデジタルテレビジョンチューナ（Ｄｉｇｉｔａｌ  ＴＶ  ｔｕｎｅｒ）４２に伝送され、もう一種のテレビジョン信号は直接ハードウエアドライバ（Ｄｒｉｖｅｒ）３のカスタム・インタフェイス３２に伝送された後、ハードウエアドライバ（Ｄｒｉｖｅｒ）３からそのテレビジョン信号に対応したアナログテレビジョンチューナ（Ａｎａｌｏｇ  ＴＶ  ｔｕｎｅｒ）４１またはデジタルテレビジョンチューナ（Ｄｉｇｉｔａｌ  ＴＶ  ｔｕｎｅｒ）４２に伝送され、チューナ４のアナログテレビジョンチューナ（Ａｎａｌｏｇ  ＴＶ  ｔｕｎｅｒ）４１およびデジタルテレビジョンチューナ（Ｄｉｇｉｔａｌ  ＴＶ  ｔｕｎｅｒ）４２は同時にアナログおよびデジタルのテレビジョン信号を受信できる。
【００１１】
更に、スタンダード・オープン・インタフェイス３１が受信したテレビジョン信号がアナログテレビジョン信号であるとき、カスタム・インタフェイス３２はデジタルテレビジョン信号を受信し、逆に、スタンダード・オープン・インタフェイス３１が受信したテレビジョン信号がデジタルテレビジョン信号であるとき、カスタム・インタフェイス３２はデジタルテレビジョン信号を受信する。
【００１２】
図１、図２に示すように、チューナ４に設けるアナログテレビジョンチューナ（Ａｎａｌｏｇ  ＴＶ  ｔｕｎｅｒ）４１およびデジタルテレビジョンチューナ（Ｄｉｇｉｔａｌ  ＴＶ  ｔｕｎｅｒ）４２が受信したアナログとデジタルのテレビジョン信号は、それぞれキャプチャ装置５に設けたアナログビデオキャプチャ（Ａｎａｌｏｇ  Ｖｉｄｅｏ  Ｃａｐｔｕｒｅ）５１およびデジタルビデオキャプチャ（Ｄｉｇｉｔａｌ  Ｖｉｄｅｏ  Ｃａｐｔｕｒｅ）５２によりそれぞれキャプチャされ、同時または別々にアナログテレビジョン画面およびデジタルテレビジョン画面を表示することができ、アナログビデオキャプチャ（Ａｎａｌｏｇ  Ｖｉｄｅｏ  Ｃａｐｔｕｒｅ）５１およびデジタルビデオキャプチャ（Ｄｉｇｉｔａｌ  Ｖｉｄｅｏ  Ｃａｐｔｕｒｅ）５２がキャプチャしたアナログテレビジョン信号およびデジタルテレビジョン信号を同時にまたは別々に保存することもできる。
【００１３】
更に、サーバサイドはノートパソコンまたはデスクトップパソコンであってよい。
【図面の簡単な説明】
【００１４】
【図１】本発明のブロック図である。
【図２】本発明を使用時のブロック図である。
【符号の説明】
【００１５】
１ アプリケーションソフト（Ａｐｐｌｉｃａｔｉｏｎ  Ｓｏｆｔｗａｒｅ）
２ ダイレクトショウ（Ｄｉｒｅｃｔ  Ｓｈｏｗ）
２１ ＣＯＭコンポーネント
３ ハードウエアドライバ（Ｄｒｉｖｅｒ）
３１ スタンダード・オープン・インタフェイス
３２ カスタム・インタフェイス
４ チューナ
４１ アナログテレビジョンチューナ（Ａｎａｌｏｇ  ＴＶ  ｔｕｎｅｒ）
４２ デジタルテレビジョンチューナ（Ｄｉｇｉｔａｌ  ＴＶ  ｔｕｎｅｒ）
５ キャプチャ装置（ｃａｐｔｕｒｅ）
５１ アナログビデオキャプチャ（Ａｎａｌｏｇ  Ｖｉｄｅｏ  Ｃａｐｔｕｒｅ）
５２ デジタルビデオキャプチャ（Ｄｉｇｉｔａｌ  Ｖｉｄｅｏ  Ｃａｐｔｕｒｅ）
【図１】
2007019972.tif 000003
【図２】
2007019972.tif 000004